【手続補正書】
【提出日】平成21年1月8日(2009.1.8)
【手続補正１】
【補正対象書類名】明細書
【補正対象項目名】特許請求の範囲
【補正方法】変更
【補正の内容】
【特許請求の範囲】
【請求項１】 磁気共鳴（ＭＲ）イメージング・システムで位置決めされた関心構造のイメージング・ボリュームのジオメトリーを規定する方法であって、 ａ）関心構造の第１のイメージング断面により規定される関心構造の第１の境界平面を選択する過程と、 ｂ）関心構造の第１のイメージング断面に対応する第１のジオメトリー情報を決定する過程と、 ｃ）第１のジオメトリー情報をＭＲイメージング・システムに記憶する過程と、 ｄ）関心構造の第２のイメージング断面により規定される関心構造の第２の境界平面を選択する過程と、 ｅ）関心構造の第２のイメージング断面に対応する第２のジオメトリー情報を決定する過程と、 ｆ）第２のジオメトリー情報をＭＲイメージング・システムに記憶する過程と、 ｇ）第１及び第２のイメージング断面の第１及び第２のジオメトリー情報をそれぞれ適用して、関心構造の後続のイメージング・ボリュームを画定する境界ジオメトリーを規定する過程と、を有し、
前記第１及び第２の境界平面の位置は、オペレータが会話形式で特定され、又は過去に収集されたイメージング・ボリュームの境界平面を参照することにより特定され、
特定された前記第１及び第２の境界平面の位置のＭＲＩデータは、実時間で収集され、表示され、
前記ＭＲＩデータは、再構成され、
オペレータが、前記第１及び第２の境界平面の位置が所望の位置となっているか否かチェックできるように、再構成されたＭＲＩデータは、ユーザインタフェースに表示され、
所望の位置でない場合、実時間において連続的に継続して収集されるＭＲ画像の境界平面が関心構造の所望の部分を表示するまでオペレータは関心構造において対話的にスクロールし、
境界平面の最終的な位置が後続のイメージングシーケンスにより取得されるＭＲデータの三次元イメージング・ボリュームの座標を規定するために使用される前記方法。
【請求項２】 関心構造の第１及び第２のイメージング断面を表示する過程を更に含む請求項１記載の方法。
【請求項３】 第１及び第２のジオメトリー情報を表示する過程を更に含む請求項１記載の方法。
【請求項４】 少なくとも１つのジオメトリー情報が中心点ＲＡＳ座標で画定されている請求項１記載の方法。
【請求項５】 少なくとも１つのジオメトリー情報がテキスト・バッファに記憶される請求項１記載の方法。
【請求項６】 後続のイメージング・ボリュームは複数の二次元ＭＲ収集データのスタックから構成されている請求項１記載の方法。
【請求項７】 第１及び第２のジオメトリー情報により規定される境界ジオメトリーを使用して後続のイメージング・ボリュームを収集するために、ＭＲイメージング・システムを始動する過程を更に含む請求項１記載の方法。
【請求項８】 収集されたイメージング・ボリュームは、実時間収集データ及び非実時間収集データを含むデータ群から選択されるＭＲ走査データである請求項７記載の方法。
【請求項９】 少なくとも１つのイメージング断面は、実時間収集データ及び非実時間収集データを含むデータ群から選択される平面状断面である請求項１記載の方法。
【請求項１０】 マウス、ジョイスティック、キーボード、トラックボール、タッチスクリーン、ライトワンド及び音声制御装置を含む群から選択される入力装置により前記過程（ａ）及び（ｄ）を実行する請求項１記載の方法。
【請求項１１】 第１及び第２の境界平面は互いに平行である請求項１記載の方法。
【請求項１２】 後続のイメージング・ボリュームを画定する残りの境界が、少なくとも１つのイメージング断面の平面内視野により規定される請求項１記載の方法。
【請求項１３】 提案されたイメージング・ボリュームを画定する残りの境界は、第１及び第２の境界平面に適用される最適適合アルゴリズムにより規定される請求項１記載の方法。
【請求項１４】 磁気共鳴（ＭＲ）イメージング・システムで位置決めされた関心構造のイメージング・ボリュームのジオメトリー規定を検索する方法であって、 ａ）関心構造の以前に規定したイメージング・ボリュームを選択する過程と、 ｂ）以前に規定したイメージング・ボリュームの第１及び第２の境界平面をそれぞれ表す第１及び第２のジオメトリー情報を決定する過程と、 ｃ）第１及び第２の境界平面を表す第１及び第２のジオメトリー情報を少なくとも１つのバッファにそれぞれロードする過程と、 ｄ）以前に規定したイメージング・ボリュームの第１及び第２の境界平面を表す第１及び第２のジオメトリー情報をＭＲイメージング・システムに記憶する過程と、を有している前記方法。
【請求項１５】 ｅ）少なくとも一方のジオメトリー情報を選択する過程と、 ｆ）選択されたジオメトリー情報に対応するイメージング断面が収集され且つ表示されるように、選択された少なくとも一方のジオメトリー情報をＭＲイメージング・システムへ送信する過程と、を更に含む請求項１４記載の方法。
【請求項１６】 イメージング断面は、実時間収集データ及び非実時間収集データを含むデータ群から収集された平面状断面である請求項１６記載の方法。
【請求項１７】 マウス、ジョイスティック、キーボード、トラックボール、タッチスクリーン、ライトワンド及び音声制御装置を含む群から選択される入力装置により前記過程（ａ）及び（ｅ）を実行する請求項１５記載の方法。
【請求項１８】 ｇ）関心構造の異なるイメージング断面を規定する過程と、 ｈ）関心構造の異なるイメージング断面に対応する異なるジオメトリー情報を決定する過程と、 ｉ）ＭＲイメージング・システムに記憶されているジオメトリー情報の少なくとも一方を異なるイメージング断面に対応する異なるジオメトリー情報と置き換える過程と、を更に含む請求項１５記載の方法。
【請求項１９】 以前に規定したイメージング・ボリュームは複数のスカウト画像から規定される請求項１４記載の方法。
【請求項２０】 関心構造のイメージング・ボリュームのジオメトリーを規定する磁気共鳴（ＭＲ）イメージング・システムであって、 ａ）関心構造の第１のイメージング断面により規定される関心構造の第１の境界平面を選択する手段と、 ｂ）関心構造の第１のイメージング断面に対応する第１のジオメトリー情報を決定する手段と、 ｃ）第１のジオメトリー情報をＭＲイメージング・システムに記憶する手段と、 ｄ）関心構造の第２のイメージング断面により規定される関心構造の第２の境界平面を選択する手段と、 ｅ）関心構造の第２のイメージング断面に対応する第２のジオメトリー情報を決定する手段と、 ｆ）第２のジオメトリー情報をＭＲイメージング・システムに記憶する手段と、 ｇ）第１及び第２のイメージング断面の第１及び第２のジオメトリー情報をそれぞれ適用して、関心構造の後続のイメージング・ボリュームを画定する境界ジオメトリーを規定する手段とを具備し、
前記第１及び第２の境界平面の位置は、オペレータが会話形式で特定され、又は過去に収集されたイメージング・ボリュームの境界平面を参照することにより特定され、
特定された前記第１及び第２の境界平面の位置のＭＲＩデータは、実時間で収集され、表示され、
前記ＭＲＩデータは、再構成され、
オペレータが、前記第１及び第２の境界平面の位置が所望の位置となっているか否かチェックできるように、再構成されたＭＲＩデータは、ユーザインタフェースに表示され、
所望の位置でない場合、実時間において連続的に継続して収集されるＭＲ画像の境界平面が関心構造の所望の部分を表示するまでオペレータは関心構造において対話的にスクロールし、
境界平面の最終的な位置が後続のイメージングシーケンスにより取得されるＭＲデータの三次元イメージング・ボリュームの座標を規定するために使用されるするシステム。
【請求項２１】 関心構造の第１及び第２のイメージング断面を表示する手段を更に含む請求項２０記載のシステム。
【請求項２２】 第１及び第２のジオメトリー情報を表示する手段を更に含む請求項２０記載のシステム。
【請求項２３】 少なくとも１つのジオメトリー情報は中心点ＲＡＳ座標で画定されている請求項２０記載のシステム。
【請求項２４】 少なくとも１つのジオメトリー情報はテキスト・バッファに記憶される請求項２０記載のシステム。
【請求項２５】 後続のイメージング・ボリュームは三次元ＭＲ収集データである請求項２０記載のシステム。
【請求項２６】 後続のイメージング・ボリュームは複数の二次元ＭＲ収集データのスタックから構成されている請求項２０記載のシステム。
【請求項２７】 第１及び第２のジオメトリー情報により規定される境界ジオメトリーを使用して後続のイメージング・ボリュームを収集するようにＭＲイメージング・システムを始動する手段を更に含む請求項２０記載のシステム。
【請求項２８】 収集されたイメージング・ボリュームは、実時間収集データ及び非実時間収集データを含む群から選択されるＭＲ走査データである請求項２０記載のシステム。
【請求項２９】 少なくとも１つのイメージング断面は、実時間収集データ及び非実時間収集データを含む群から選択される平面状断面である請求項２０記載のシステム。
【請求項３０】 選択する手段の少なくとも１つは、マウス、ジョイスティック、キーボード、トラックボール、タッチスクリーン、ライトワンド及び音声制御装置を含む群から選択される入力装置により実行される請求項２０記載のシステム。
【請求項３１】 第１及び第２の境界平面は互いに平行である請求項２０記載のシステム。
【請求項３２】 後続のイメージング・ボリュームを画定する残りの境界は、少なくとも１つのイメージング断面の平面内視野により規定される請求項２０記載のシステム。
【請求項３３】 提案されたイメージング・ボリュームを画定する残りの境界が、第１及び第２の境界平面に適用される最適適合アルゴリズムにより規定される請求項２０記載のシステム。
【請求項３４】 関心構造のイメージング・ボリュームのジオメトリー規定を検索することができる磁気共鳴（ＭＲ）イメージング・システムであって、 ａ）関心構造の以前に規定したイメージング・ボリュームを選択する手段と、 ｂ）以前に規定したイメージング・ボリュームの第１及び第２の境界平面をそれぞれ表す第１及び第２のジオメトリー情報を決定する手段と、 ｃ）第１及び第２の境界平面を表す第１及び第２のジオメトリー情報を少なくとも１つのバッファにそれぞれロードする手段と、 ｄ）以前に規定したイメージング・ボリュームの第１及び第２の境界平面を表す第１及び第２のジオメトリー情報をＭＲイメージング・システムに記憶する手段と、を有している請求項２０記載の磁気共鳴イメージング・システム。
【請求項３５】 ｅ）少なくとも１つのジオメトリー情報を選択する手段と、 ｆ）選択されたジオメトリー情報に対応するイメージング断面が収集され且つ表示されるように、選択された少なくとも１つのジオメトリー情報をＭＲイメージング・システムへ送信する手段と、を更に含む請求項３４記載のシステム。
【請求項３６】 イメージング断面は、実時間収集データ及び非実時間収集データを含むデータ群から収集された平面状断面である請求項３５記載のシステム。
【請求項３７】 前記の選択する手段の少なくとも１つは、マウス、ジョイスティック、キーボード、トラックボール、タッチスクリーン、ライトワンド及び音声制御装置を含む群から選択される入力装置により実行される請求項３５記載のシステム。
【請求項３８】 ｇ）関心構造の異なるイメージング断面を規定する手段と、 ｈ）関心構造の異なるイメージング断面に対応する異なるジオメトリー情報を決定する手段と、 ｉ）ＭＲイメージング・システムに記憶されているジオメトリー情報の少なくとも１つを異なるイメージング断面に対応する異なるジオメトリー情報と置き換える手段と、を更に含む請求項３５記載のシステム。
【請求項３９】 以前に規定したイメージング・ボリュームは複数のスカウト画像から規定される請求項３４記載のシステム。